(57)【特許請求の範囲】
【請求項１】
透水性の地盤を備えた島の淡水を地下止水壁によって堰き止める淡水貯留システムにおいて、
前記地下止水壁の下端は、不透水性の地盤より上に位置し、または、前記不透水性の地盤に貫入して通水のための通水部を備え、
前記地下止水壁の上端は、地下水位よりも上に位置するとともに地表面よりも低い位置にあって、
海面より上の淡水の厚みを増加して海面より下の淡水の厚みを増加することを特徴とする淡水貯留システム。
【発明の詳細な説明】
【技術分野】
【０００１】
本発明は、透水性の地盤を有する島において、淡水レンズの淡水を取水する取水システムと、この取水システムが設置された淡水貯留取水システムと、に関する。
【背景技術】
【０００２】
一般に、水の浸透しやすい石灰岩で構成されたサンゴ島などでは、周囲の海水（塩水）は島の下側まで浸入していることが知られている。
【０００３】
サンゴ島などの水の浸透しやすい島に降水があると、雨水は、表流水として海へ流出するとともに、地盤中に浸透することになる。そして、地盤中へ浸透した雨水は、塩水と淡水との密度差によって、塩水の上に浮かんだ状態となって溜まることが知られている。
【０００４】
この塩水の上に溜まった淡水は、島の中央に近いほど厚みがあり、海岸へ近づくにつれて薄くなるため、その形状から淡水レンズと呼ばれており、島に住む人々によって様々に利用されている。
【０００５】
一方、この淡水レンズの内部には、海へと向かう流れがあるため、長期間降雨がない場合などには、淡水レンズが消滅してしまうおそれや、淡水レンズの層厚が薄くなるため取水した際に塩水が混入するおそれがある。
【０００６】
このような島に地下水を貯留させる方法として、いわゆる地下ダムが知られている。
【０００７】
この地下ダムでは、海水面より上に帯水層がある場合、止水壁によって地下水を堰き止めることによって、淡水の貯留量を増加させることができる。
【０００８】
また、特許文献１では、淡水レンズの淡水を取水する方法として、立孔の下位部から水平放射状に削孔された注水孔とこの注水孔の上方の集水孔とを備える取水施設が開示されている。
【０００９】
この構成によれば、供給水が注水孔から淡水レンズ内に送水され、淡水レンズが縮小することがないため、取水した際に塩水が混入することを防止できる。
【特許文献１】特開２００６−１１８２９８号公報
【発明の開示】
【発明が解決しようとする課題】
【００１０】
しかしながら、上記した地下ダムは、海水面より上に帯水層がない場合には設置することができない。
【００１１】
また、上記した特許文献１の構成では、注水孔や集水孔が必要になるうえに、水質調整された供給水が必要になるという問題があった。
【００１２】
そこで、本発明は、海水面より上に不透水層がない島においても地下水を有効に利用できる取水システムと、この取水システムを備える淡水貯留取水システムと、を提供することを目的としている。
【課題を解決するための手段】
【００１３】
前記目的を達成するために、本発明の取水システムは、地下の塩水の上方に形成された淡水域の淡水を取水する取水システムであって、互いに近接する一対の井戸が構築され、一方の井戸のストレーナは前記淡水域の淡水に挿入されるとともに、他方の井戸のストレーナは前記塩水に挿入されて、両方の前記ストレーナを通じて前記淡水及び前記塩水を取水することを特徴とする。
【００１４】
また、本発明の淡水貯留取水システムは、上記の取水システムと、地下の塩水の上方に形成された淡水域を囲む地下止水壁と、を備え、前記一方の井戸のストレーナは前記地下止水壁によって囲まれて厚みが増した前記淡水域の淡水に挿入され、前記他方の井戸のストレーナは前記塩水に挿入されて、両方の前記ストレーナを通じて前記淡水及び前記塩水を取水することを特徴とする。
【００１５】
さらに、前記地下止水壁の下端は、不透水性の地盤より上に位置することが好ましい。
【００１６】
そして、前記地下止水壁の上端は、地下水位よりも上に位置することが好ましい。
【発明の効果】
【００１７】
このように、本発明の取水システムは、互いに近接する一対の井戸が構築され、一方の井戸のストレーナは淡水域の淡水に挿入されるとともに、他方の井戸のストレーナは塩水に挿入されて、両方のストレーナを通じて淡水及び塩水を取水する。
【００１８】
したがって、両方の井戸から取水することで、塩水と淡水との境界付近において井戸に向かう鉛直方向の流れが相殺されるため、取水の際に塩水が混入することを防止できる。
【００１９】
また、本発明の淡水貯留取水システムは、上記の取水システムと、地下の塩水の上方に形成された淡水域を囲む地下止水壁と、を備え、一方の井戸のストレーナは地下止水壁によって囲まれて厚みが増した淡水域の淡水に挿入され、他方の井戸のストレーナは塩水に挿入されて、両方のストレーナを通じて淡水及び塩水を取水する。
【００２０】
したがって、淡水の貯留量が増加するとともに、淡水レンズの厚みが増えることで、いっそう取水の際に塩水が混入しにくくなる。
【００２１】
さらに、地下止水壁の下端は、不透水性の地盤より上に位置することで、地下止水壁の下から塩水を吐き出すことができる。
【００２２】
そして、地下止水壁の上端は、地下水位よりも上に位置することで、浸透する雨水を効率よく貯留することができる。
【発明を実施するための最良の形態】
【００２３】
以下、本発明の最良の実施の形態について図面を参照して説明する。
【００２４】
まず、図１を用いて本実施の形態の淡水貯留取水システムＳの全体構成を説明する。
【００２５】
本実施の形態の淡水貯留取水システムＳは、図１，２に示すように、石灰岩などの透水係数の比較的大きい地盤６２を有する島６０を囲む地下止水壁４と、地下の塩水５１の上方に凸レンズ状に形成された淡水域としての淡水レンズＬの淡水５０を取水する取水システム１と、を備えている。
【００２６】
この島６０は、透水係数が大きく水が浸透しやすい石灰岩などで構成されたいわゆるサンゴ島である。なお、この島６０としては、サンゴ島以外でも、亀裂の多い岩盤などの透水性の地盤６２を備えた島であれば、地盤６２の組成はどのようなものであってもよい。
【００２７】
前記したように、このような水の浸透しやすい島６０に降水があると、雨水は、地表６１を流れる表流水として海へ流出するとともに、透水性の地盤６２中に浸透することになる。そして、地盤６２中へ浸透した雨水は、塩水５１と淡水５０との密度差によって、塩水５１の上にレンズ状に浮かんだ淡水レンズＬとなっている。
【００２８】
すなわち、淡水レンズＬは、島６０の中央に近いほど厚みがあり、海岸へ近づくにつれて薄くなるため、その形状から淡水レンズＬと呼ばれており、島６０に住む人々によって飲料用水や農業用水などとして利用されている。加えて、この淡水レンズＬは、取水によって消失した場合、回復するために長期間要することが知られている。
【００２９】
また、本実施の形態の地下止水壁４は、図１，２に示すように、地盤６２とセメントミルクとを混練したソイルセメントや矢板などの止水性を有する材料によって、地表面６１下に連続した壁状に形成されるもので、淡水レンズＬの周囲を隙間なく囲む略円形状に構築される。
【００３０】
なお、この地下止水壁４の平面形状としては、淡水レンズＬを隙間なく囲むものに限定されるものではなく、一部に通水のための通水部などがあってもよいし、一重に限らず二重や三重のものでもよく、淡水レンズＬを囲むことで淡水５０の厚みを増加させる効果があればどのような形状でもよい。
【００３１】
さらに、この地下止水壁４の上端４１の位置は、降雨の際に雨水が直接に海６４に流出せずに捕捉できるように自然の地下水位５３よりも１ｍ程度は高い位置にあることが好ましいとともに、大雨の際に地表６１が冠水しないように地表面６１よりも低い位置にあることが好ましい。
【００３２】
また、地下止水壁４の下端４２の位置は、淡水レンズＬの厚みを増加させるために、自然の状態の淡水レンズＬの淡水５０と塩水５１との境界５２より深い位置にあることが好ましいとともに、塩水５１の吐き出し口を確保するために、透水性の地盤６２の下方の不透水性の地盤６３より浅い位置にあることが好ましい。
【００３３】
そして、本実施の形態の取水システム１は、図１，２に示すように、互いに近接する一対の井戸２，３と、排水路３２と、を備えている。
【００３４】
この一方の井戸２は、淡水レンズＬを囲む地下止水壁４の内側に設置されるもので、図３に示すように、樹脂などによって円筒状に形成された井戸管２３と、井戸管２３の下端近傍に設けられたストレーナ２１と、ストレーナ２１の周囲を埋めるケイ砂２４と、ケイ砂２４の上方を遮水するベントナイトペレット２５と、ベントナイトペレット２５の上方を埋めるセメントミルク２６と、井戸管２３に挿入された通水管２８と、通水管２８の下端に取り付けられた水中ポンプ２７と、によって主に形成されている。
【００３５】
また、他方の井戸３は、上記した一方の井戸２に近接して淡水レンズＬを囲む地下止水壁４の内側に設置されるもので、図３に示すように、ストレーナ３１が淡水レンズＬの下方の塩水５１の高さに設けられ、排水路３２が接続されている他は、上記した一方の井戸２と略同一の構成を備えている。
【００３６】
このストレーナ２１，３１は、小石やゴミなどが井戸管２３，３３内に取り込まれないように、金属や樹脂によって網目状などのスクリーンとして形成されるもので、井戸管２３，３３の下端に嵌め合わされて固定されている。
【００３７】
そして、本実施の形態の淡水５０を取水する一方の井戸２のストレーナ２１は、淡水レンズＬの淡水５０に挿入され、塩水５１を取水する他方の井戸３のストレーナ３１は、淡水レンズＬの下方の塩水５１に挿入されている。
【００３８】
加えて、この一対のストレーナ２１，３１は、淡水５０と塩水５１との境界５２からの距離が略同一になるように設けられている。
【００３９】
さらに、水中ポンプ２７，３７は相互に連動するように制御されているため、略同一の圧力で吸い上げることで、略同一の通水面積を有するストレーナ２１，３１を通じて、略同時に略同量の淡水５０と塩水５１とを吸い上げることができる。
【００４０】
また、塩水５１を吸い上げるための井戸３に接続される排水路３２は、塩水５１を取水する他方の井戸３を通じて吸い上げた塩水５１を海６４に排水するために、井戸３から海６４まで延設されている。
【００４１】
次に、本実施の形態の取水システム１の井戸２，３のうち、一方の井戸２の施工順序について、図４を参照しながら説明する。なお、他方の井戸３の施工順序は、ストレーナ３１の高さが塩水５１の高さに設けられることを除いて略同様であるから説明は省略する。
【００４２】
まず、図４（ａ）に示すように、掘削機械７１によって、透水性の地盤６２を円柱状に削孔し、孔壁が崩壊しないように保護するための円筒状のケーシング７２を建て込む。
【００４３】
つづいて、図４（ｂ）に示すように、ケーシング７２の内側に、先端にストレーナ２１を取り付けた井戸管２３を建て込む。ここにおいて、このストレーナ２１は、淡水５０と塩水５１の境界５２より上に位置するように設置される。
【００４４】
次に、図４（ｃ）に示すように、ケーシング７２を引き抜きながら、ストレーナ２１の周囲にケイ砂２４を充填する。
【００４５】
そして、図４（ｄ）に示すように、ケーシング７２を引き抜きながら、ケイ砂２４の上に遮水のためのベントナイトペレット２５を５０ｃｍ程度の厚みで充填し、ベントナイトペレット２５の上にセメントミルク２６を充填する。
【００４６】
最後に、井戸２の井戸管２３には、下端に水中ポンプ２７が取り付けられた通水管２８が挿入されて、井戸２の施工が完了する（図３参照）。
【００４７】
この他、塩水５１を取水する他方の井戸３には、取水した塩水５１を海６４に排水できるように、通水管３８に排水路３２が接続される（図１，２，３参照）。
【００４８】
次に、本実施の形態の取水システム１を備える淡水貯留取水システムＳの作用について、図５，６を参照しながら説明する。
【００４９】
このように、本実施の形態の取水システム１は、互いに近接する一対の井戸２，３が構築され、一方の井戸２のストレーナ２１は淡水レンズＬの淡水５０の高さに位置し、他方の井戸３のストレーナ３１は淡水レンズＬの下方の塩水５１の高さに位置して、両方のストレーナ２１，３１を通じて淡水５０及び塩水５１から取水する。
【００５０】
したがって、両方の井戸２，３から取水することで、塩水５１と淡水５０との境界５２付近において井戸２，３に向かう鉛直方向の流れが相殺され、淡水５０を取水する際に塩水５１が混入することを防止できる。
【００５１】
すなわち、図６（ａ）に示すように、一つの井戸２Ａを用いて淡水レンズＬの淡水５０を取水する場合には、図５（ａ）に示すように、図中において白丸で示したストレーナ２１位置を中心として同心円状に流れ場が形成される。
【００５２】
したがって、ストレーナ２１の下方では、ストレーナ２１に向かう上向きの流れが生ずることになる。そうすると、図６（ａ）に示すように、淡水５０と塩水５１との境界５２が楔状に淡水レンズＬに引き込まれることとなり、最終的には取水の際に塩水５１を取水してしまうことになる。
【００５３】
これに対して、本実施の形態の取水システム１では、図５（ｂ）に示すように、図中において上側の白丸で示した一方のストレーナ２１と下側の白丸で示した他方のストレーナ３１との中間の高さに、鉛直方向の流速がない流れ場が形成されている。
【００５４】
つまり、両方のストレーナ２１，３１の間では、鉛直方向の流速が打ち消し合って、水平方向の流速のみが残留することになる。そうすると、前記したような淡水レンズＬに対する塩水５１の楔状の引き込みは生じず、図６（ｂ）に示すように淡水レンズＬの厚みが一定の割合で減少するようになる。
【００５５】
すなわち、井戸２，２Ａを通じて、略同一量の淡水５０を取水した場合には、図６（ａ）の従来の取水システムと比べて、図６（ｂ）に示す本実施の形態の取水システム１のほうが、井戸２，２Ａの近傍の淡水レンズＬの層厚の減少量が抑制される。したがって、淡水５０の取水時に塩水５１の混入を防止できることになる。
【００５６】
この場合、それぞれの井戸２，３からの取水量を地盤６２の透水係数などを考慮して調整することで、鉛直流速が平衡する深さを調整できるため、淡水レンズＬの層厚が減少した際にも、これに対応して塩水５１の引き込みを防止できる。
【００５７】
また、本実施の形態の取水システム１は、いわゆる満州井戸などのように、立坑の底部近傍から水平方向に複数の横坑を設ける必要がないため、地上からの施工によってきわめて容易に取水のための井戸２，３を構築することができる。
【００５８】
したがって、１つの淡水レンズＬについて、複数の取水システム１を設けることも容易となる。
【００５９】
そして、複数の取水システム１を設けることで、１つの取水システム１からの取水量を少なくできるため、淡水レンズＬに対する塩水５１の楔状の引き込みをいっそう抑制することもできる。
【００６０】
また、本実施の形態の淡水貯留取水システムＳは、淡水レンズＬは、地下止水壁４によって囲まれるとともに、取水システム１の一方のストレーナ２１は、地下止水壁４によって囲まれて厚みが増した淡水レンズＬの淡水５０の高さに位置し、他方のストレーナ３１は淡水レンズＬの下方の塩水５１の高さに位置して、両方のストレーナ２１，３１を通じて淡水５０及び塩水５１から取水する。
【００６１】
したがって、淡水５０の貯留量が増加するとともに、淡水レンズＬの厚みが増えることで、いっそう取水の際に塩水５１が混入しにくくなる。
【００６２】
つまり、淡水レンズＬの厚みが薄い端部近傍において、地下止水壁４を構築して淡水５０が海６４へ向かう流れを堰き止めることで、地下止水壁４の内部において海６４の海面から上の淡水５０の厚みが増加し、これに対応して海面から下の淡水５０の厚みも増加することになる。
【００６３】
この場合、ガイベン−ヘルツベルグの法則によれば、基準となる周囲の海面から下の淡水５０の厚みは、海面から上の淡水５０の厚みの４０倍になることが知られている。例えば、２０ｃｍだけ海面上の淡水５０の水位を上げることで、海面下の淡水５０の厚みは８ｍ増加することになる。
【００６４】
したがって、一般に少なくとも数十〜数百メートル単位の広さを有する淡水レンズＬにおいて、わずかに淡水５０の水位を上げてやることで、貯留量を著しく大きくすることが可能となる。
【００６５】
さらに、このように淡水レンズＬの厚みを人工的に厚くし、淡水レンズＬを強化してやることで、井戸２，３を通じて取水した際に、楔状の引き込みが発生しにくくなる。
【００６６】
つまり、淡水５０と塩水５１とから同時に取水する場合でも、淡水レンズＬの厚みが薄い場合には、塩水５１の引き込みが発生する可能性はあるが、淡水レンズＬの厚みが厚い場合には、それぞれのストレーナ２１，３１の位置を境界５２から離してやることで塩水５１の引き込みは発生しにくくなる。
【００６７】
そして、地下止水壁４の下端４２が、不透水性の地盤６３よりも高い位置にあることで、地下止水壁４の下から塩水５１を吐き出すことができる。
【００６８】
すなわち、仮に、地下止水壁４の下端４２が不透水性の地盤６３に貫入していれば、淡水域の淡水５０の厚みが増加しても地下止水壁４の下から塩水５１が流出しないため、下方の塩水５１を押し出して淡水域の厚みが増すことはない。したがって、塩水５１の上に淡水５０が積層される結果、淡水５０の貯留量の増加はわずかなものにとどまることになる。
【００６９】
これに対して、地下止水壁４の下端４２が不透水性の地盤６３に貫入していなければ、地下止水壁４の下から塩水５１が流出し、下方の塩水５１を押し出して淡水域の厚みが増すため、淡水５０の貯留量は大きく増加することになる。
【００７０】
ただし、地下止水壁４の下端４２が不透水性の地盤６３に貫入していても、通水のための通水部などがあれば、塩水５１を吐き出して淡水５０を貯留することができる。
【００７１】
さらに、地下止水壁４の上端４１は、地下水位５３よりも高い位置にあることで、浸透する雨水を効率よく貯留することができる。
【００７２】
つまり、雨水を地下止水壁４によって堰き止めることで、海面より上の淡水５０の厚みが増加するため、これに伴って海面より下の淡水５０の厚みも増加する。
【００７３】
また、地下止水壁４の上端４１が、地表面６１よりも低い位置にあることで、大雨の際に地下止水壁４を越流しても、地表面６１が冠水してしまうことを防止できる。
【００７４】
加えて、地下止水壁４の上端４１が、地表面６１よりも低い位置とすることで、生物などの移動を妨げないため、環境に配慮した構造物となる。
【００７５】
さらに、地下止水壁４には、淡水レンズＬを隙間なく囲むのではなく、通水のための隙間である通水部を設けて囲むことで、所定の貯水量を確保しつつ地表面６１が冠水してしまうことを防止できるうえに、淡水貯留取水システムＳの全体の建設費用を抑えることもできる。
【００７６】
以上、図面を参照して、本発明の最良の実施の形態を詳述してきたが、具体的な構成は、この実施の形態に限らず、本発明の要旨を逸脱しない程度の設計的変更は、本発明に含まれる。
【００７７】
例えば、本実施の形態では、地下止水壁４によって、淡水レンズＬが囲まれる場合について説明したが、これに限定されるものではなく、地下止水壁４を設けなくても、取水システム１を構築することはできる。
【００７８】
そして、本実施の形態では、淡水域として島６０の地下に形成される淡水レンズＬを例として説明したが、これに限定されるものではなく、塩水５１の上方に形成された淡水域であれば、取水システム１を適用できる。
【００７９】
また、本実施の形態では、１つの取水システム１について、淡水５０を取水するための井戸２と、塩水５１を取水するための井戸３と、を１つずつ有する場合について説明したが、これに限定されるものではなく、少なくとも一対の井戸２，３を備えていれば、それぞれが複数あってもよい。
【００８０】
さらに、本実施の形態では、淡水貯留取水システムＳにおいて、１つの取水システム１を構築する場合について説明したが、これに限定されるものではなく、複数の取水システムを、複数の箇所において複数の深さに設けることで、より効率的に淡水５０を取水することができる。
【図面の簡単な説明】
【００８１】
【図１】本発明の最良の実施の形態の淡水貯留取水システムの全体構成を説明する断面図である。
【図２】本発明の最良の実施の形態の淡水貯留取水システムの全体構成を説明する平面図である。
【図３】本発明の最良の実施の形態の取水システムの構成を説明する断面図である。
【図４】井戸を設置する施工方法について説明した施工手順図である。（ａ）は掘削であり、（ｂ）は井戸管建込であり、（ｃ）はケイ砂投入であり、（ｄ）はベントナイトペレット投入及びセメントミルク注入である。
【図５】本発明の取水システムを用いた場合の流れ場を、従来の取水設備を用いた場合の流れ場と比較して説明する説明図である。
【図６】本発明の取水システムを用いた場合の淡水レンズの形状を、従来の取水設備を用いた場合の淡水レンズの形状と比較して説明する説明図である。
【符号の説明】
【００８２】
Ｓ            淡水貯留取水システム
Ｌ            淡水レンズ（淡水域）
１            取水システム
２，３        井戸
２１，３１    ストレーナ
３２          排水路
４            地下止水壁
４１          上端
４２          下端
５０          淡水
５１          塩水
５２          境界
５３          地下水位
６０          島
６２          透水性の地盤
６３          不透水性の地盤
６４          海
【図１】
0005430783.tif 000002
【図２】
0005430783.tif 000003
【図３】
0005430783.tif 000004
【図４】
0005430783.tif 000005
【図５】
0005430783.tif 000006
【図６】
0005430783.tif 000007